(57)【要約】【課題】プログラムを再書き込み可能とし、ノイズの影響を避けるのに有利な人体局部洗浄装置を提供する。【解決手段】人体局部洗浄装置は、便座と、使用者の局部を洗浄する洗浄部３と、マイコン制御部とをもつ。マイコン制御部は、プログラムを書き込み可能な記憶媒体と、グランド端子をもつと共にプログラムを記憶媒体に書き込む書込コネクタ６とを有する。書込コネクタ６にコネクタカバー７が脱着可能に被着されている。コネクタカバー７は、書込コネクタ６の開放状態の端子とグランド端子とを電気的に接続する終端抵抗を備えている。【選択図】図２
2006090072.tif 000002
【特許請求の範囲】
【請求項１】
基部と、
前記基部に上下方向に揺動可能に枢支された便座と、
前記基部に設けられ、前記便座に着座する使用者の局部を洗浄する洗浄部と、
前記基部に設けられ、プログラムを書き込み可能な記憶媒体と、端子及びグランド端子をもつと共にプログラムを記憶媒体に書き込む書込コネクタとを有するマイコン制御部とを具備する人体局部洗浄装置において、
前記書込コネクタにコネクタカバーが脱着可能に被着されており、前記コネクタカバーは、前記書込コネクタの開放状態の端子とグランド端子とを電気的に接続する終端抵抗を備えていることを特徴とする人体局部洗浄装置。
【請求項２】
請求項１において前記基部は、前記洗浄部から吐出される洗浄水の水を調整するバルブ、前記洗浄部から吐出される洗浄水を収容するタンク、脱臭処理を行う脱臭ユニット、人体の局部を乾燥させる乾燥ユニットのうちの少なくとも一つを備えていることを特徴とする人体局部洗浄装置湯。
【請求項３】
請求項１または請求項２において、前記書込コネクタの開放状態の端子は、前記グランド端子、送信データ出力端子及び受信データ入力端子であることを特徴とする人体局部洗浄装置。
【請求項４】
請求項１〜請求項３のうちのいずれか一項において、前記書込コネクタの周囲に防湿材が被覆されており、前記防湿材は、前記書込コネクタに被着されている前記コネクタカバーを覆っていないことを特徴とする人体局部洗浄装置。
【発明の詳細な説明】
【技術分野】
【０００１】
本発明は人体の局部を洗浄する人体局部洗浄装置に関する。
【背景技術】
【０００２】
従来、人体局部洗浄装置の制御部は、湿度が高くなりがちな水洗トイレで使用されるため、ウレタン等の防湿材が充填されて実装され、水分が直接的に付着しないようにされている。このため制御部の記憶媒体に格納されているプログラムを新しく変更したときには、部品の組み替えが事実上できないため、制御部を新たに作り直すしかなく、ロスが生じている。
【０００３】
そこで特許文献１には、外部の無線通信手段からマイコン制御部にプログラムを送信することにより、使用者の使い勝手に合わせて、洗浄機能等の各種機能を自由に設定する人体局部洗浄装置が開示されている。
【特許文献１】特開２００２−３３２６７５号公報
【発明の開示】
【発明が解決しようとする課題】
【０００４】
上記した人体局部洗浄装置によれば、外部の無線通信手段からプログラムをマイコン制御部に送信することにより、使用者の使い勝手に合わせて、各種機能を自由に設定することができる。しかしながら上記した装置は無線通信手段によるものであり、無線式の送信部及び受信部などを必要し、機器に制約を受ける。
【０００５】
本発明は上記した実情に鑑みてなされたものであり、有線でプログラムを再書き込み可能とし、ノイズの影響を避けるのに有利な人体局部洗浄装置を提供することを課題とする。
【課題を解決するための手段】
【０００６】
本発明に係る人体局部洗浄装置は、基部と、
基部に上下方向に揺動可能に枢支された便座と、
基部に設けられ、前記便座に着座する使用者の局部を洗浄する洗浄部と、
基部に設けられ、プログラムを書き込み可能な記憶媒体と、端子及びグランド端子をもつと共にプログラムを記憶媒体に書き込む書込コネクタとを有するマイコン制御部とを具備する人体局部洗浄装置において、
書込コネクタにコネクタカバーが脱着可能に被着されており、コネクタカバーは、書込コネクタの開放状態の端子とグランド端子とを電気的に接続する終端抵抗を備えていることを特徴とするものである。
【０００７】
本発明によれば、マイコン制御部が設けられている。マイコン制御部は、プログラムを書き込み可能な記憶媒体と、プログラムを記憶媒体に書き込みする書込コネクタとを有する。トイレに据え付けられる人体局部洗浄装置の内部は、その性質上、湿度が高くなる。そこで本発明によれば、マイコン制御部の書込コネクタにはコネクタカバーが脱着可能に被着されており、書込コネクタの開放状態の端子はコネクタカバーにより覆われて、防湿性が高められている。
【０００８】
記憶媒体に格納されているプログラムを使用者の好みに応じて変更するときには、書込コネクタの開放状態の端子からコネクタカバーを取り外す。そして、書込ライタの端子と書込コネクタの端子とを有線で電気的に直接つなぐ。その状態で、使用者の好みに合わせたプログラムを書込ライタから書き込みする。従って、使用者の好みに応じて、人体局部洗浄装置の洗浄水の水温、水勢等の使用条件を設定することができる。
【０００９】
人体局部洗浄装置は電気機器を有しているのが一般的であり、更に、近年はトイレ室に種々の電気機器が装備されることが多く、また他の電気機器からの電磁波の影響もあり、マイコンから書込コネクタまでに距離が生じてノイズの影響を受け易くなるおそれがある。そこで本発明によれば、書込コネクタに脱着可能に被着されるコネクタカバーは終端抵抗を備えている。終端抵抗は、書込コネクタの開放状態の端子と書込コネクタのグランド端子とを電気的に接続する。このためノイズが生じるときであっても、ノイズによる影響は終端抵抗でグランド側に減衰または消費される。このためノイズによる影響を低減または回避することができる。
【発明の効果】
【００１０】
本発明に係る人体局部洗浄装置によれば、使用者の好み、使用地域等に応じた洗浄条件等の使用条件を設定したプログラムを記憶媒体に書き込むことができる。故に、人体局部洗浄装置を便器に据えつけた後であっても、使用者の好みに応じた洗浄条件等の使用条件を設定することができる。更に、書込コネクタをマイコン制御部に設けたときには、書込コネクタとマイコンとの間の配線が必要されるめた、ノイズの影響を受け易くなるが、コネクタカバーに設けた終端抵抗に基づくノイズ減衰機能により、ノイズを減衰または消費でき、ノイズによる影響を低減または回避することができる。また、書込コネクタに被着されるコネクタカバーは、書込コネクタの開放ピンを覆って書込コネクタに対して防湿性を高めることができる。
【発明を実施するための最良の形態】
【００１１】
本発明に係る基部は、好ましくは、洗浄部から吐出される洗浄水の水を調整するバルブ、洗浄部から吐出される洗浄水を収容するタンク、脱臭処理を行う脱臭ユニット、人体の局部を乾燥させる乾燥ユニットのうちの少なくとも一つを備えている。当該バルブ、脱臭ユニット、乾燥ユニットの作動時には、その機器の性質上、ノイズが発生するおそれがある。この点について本発明によれば、終端抵抗を有するコネクタカバーが書込コネクタに被着されているため、ノイズが減衰される。
【００１２】
書込コネクタの開放状態の端子は、グランド端子、書き込み用の送信データ出力端子及び受信データ入力端子である形態を採用することができる。マイコン制御部に搭載されている書込コネクタの周囲には防湿材が被覆されていることが好ましい。この場合、防湿材はコネクタカバーを覆っていない形態を採用できる。防湿材によりマイコン制御部の防湿性が確保されているものの、防湿材はコネクタカバーを覆っていないため、防湿材を損傷させることなく、コネクタカバーをマイコン制御部の書込コネクタから容易に取り外すことができる。
【実施例１】
【００１３】
以下、本発明を具体化した実施例１を図面を参照して説明する。図１に示すように、本実施例に係る人体局部洗浄装置Ａは、便器１００の後部に装備されるものであり、ビデ洗浄用スイッチ１０及び肛門洗浄用スイッチ１１等を有する操作パネル１４をもつ基部としてのケース１と、ケース１に回動可能に設けられた便座２０と、ケース１に回動可能に設けられた便蓋２１と、ケース１に装備された洗浄部３とを備える。ケース１は、底壁となるベース１２と、ベース１２に脱着可能に被着された箱形状をなすケース本体１３とを備える。
【００１４】
図２は人体局部洗浄装置Ａのケース１の内部構造の一部を示す。図２に示すように、洗浄部３は、ビデ用洗浄ノズル１０と、肛門洗浄用ノズル１１とを備えている。ビデ用洗浄ノズル１０及び肛門用洗浄ノズル１１は、不使用時には使用者から見えぬように隠蔽されており、使用時には便器に着座している使用者の人体局部に向けて前進し、使用終了であれば、再び、後退して隠蔽される。
【００１５】
図２に示すように、ビデ洗浄用ノズル１０、肛門洗浄用ノズル１１と、ノズル１０，１１から吐出される洗浄水を収容するタンク３０と、脱臭処理を行うために活性炭等の脱臭材に空気を供給する脱臭ユニット４０と、人体の局部を乾燥させる温風を生成する乾燥ユニット４５と、制御基板５がケース１の内部に設けられている。制御基板５は、コンデンサ５１、ＬＥＤ５２、コネクタ５３等の各種電子部品を有する。制御基板５の端部５ｅには、プログラムを書き込む書込コネクタ６が上向きに設けられており、書込コネクタ６と書込ライタのコネクタ３００との結合を容易にしている。
【００１６】
図２に示すように、書込コネクタ６にはコネクタカバー７が脱着可能に上から被着されている。ここで、制御基板５にはウレタン等の樹脂系の防湿材５７が被覆されており、上記した各種の電子部品は防湿材５７で被覆されて、防湿されている。但し、書込コネクタ６の下部の周囲には防湿材５７が被覆されているものの、防湿材５７は書込コネクタ６の全体を被覆していない。つまり、書込コネクタ６の上部は、防湿材５７で覆われていない。従って、制御基板５の書込コネクタ６にコネクタカバー７を取り付けることができ、更に、制御基板５の書込コネクタ６からコネクタカバー７を取り外すことができる。制御基板５はケース１の内部に装備されているため、ケース本体１３をベース１２から取り外せば、書込コネクタ６を有する制御基板５が露出する。
【００１７】
図３は書込コネクタ６の配線図を示す。図３に示すように、書込コネクタ６は、１番ピンとしてのグランド端子（ＧＮＤ）と、２番ピンとしての送信データ出力端子（ＴｘＤ）、３番ピンとしての受信データ入力端子（ＲｘＤ）と、４番ピンとしてのリセット端子（Ｒｅｓｅｔ）と、５番ピンとしての電源端子（Ｖｄｄ）と、６番ピンとしてのプログラム書き込み制御端子（Ｖｐｐ）と、７番ピンとしてのＨＳ端子（ＨＳ）とを有する。ここで、ＨＳ端子（ＨＳ）は通信高速化のため、通信可能なタイミングを探して通信許可を行うのに使用するピンである。
【００１８】
図３に示すように、電源端子（Ｖｄｄ）は電源８０に接続されており、リセット端子（Ｒｅｓｅｔ）はプルアップ抵抗８１を介して電源８０に接続されており、両者はＨｉｇｈレベルとされている。グランド端子（ＧＮＤ）は接地側８２に接続されており、プログラム書き込み制御端子（Ｖｐｐ）はプルダウン抵抗８３を介して接地されており、両者はＬｏｗレベルとされている。書込コネクタ６にコネクタカバー７が被着されていないときには、送信データ出力端子（ＴｘＤ）、受信データ入力端子（ＲｘＤ）、ＨＳ端子（ＨＳ）等は、外部に露出する開放状態の端子とされる。
【００１９】
図４はコネクタカバー７を配線図を示す。図４に示すように、コネクタカバー７は、書込コネクタ６の開放状態の端子である送信データ出力端子（ＴｘＤ）とグランド端子（ＧＮＤ）とを電気的に接続する第１終端抵抗８６を備えており、受信データ入力端子（ＲｘＤ）とグランド端子（ＧＮＤ）とを電気的に接続する第２終端抵抗８７を備えており、且つ、ＨＳ端子（ＨＳ）とグランド端子（ＧＮＤ）とを電気的に接続する第３終端抵抗８８とを備えている。
【００２０】
このため書込コネクタ６にコネクタカバー７が被着されると、制御基板５の書込コネクタ６の送信データ出力端子（ＴｘＤ）は第１終端抵抗８６を介してグランド端子（ＧＮＤ）に電気的に接続され、また、制御基板５の書込コネクタ６の受信データ入力端子（ＲｘＤ）は第２終端抵抗８７を介してグランド端子（ＧＮＤ）に電気的に接続され、制御基板５の書込コネクタ６のＨＳ端子（ＨＳ）は第３終端抵抗８８を介してグランド端子（ＧＮＤ）に電気的に接続される。
【００２１】
このため書込コネクタ６にコネクタカバー７が被着されていれば、送信データ出力端子（ＴｘＤ）に繋がる配線にノイズが発生したとしても、第１終端抵抗８６により消費されて減衰される。また、受信データ入力端子（ＲｘＤ）に繋がる配線にノイズが発生したとしても、第２終端抵抗８７により消費されて減衰される。また、ＨＳ端子（ＨＳ）に繋がる配線にノイズが発生したとしても、第３終端抵抗８８により消費されて減衰される。
【００２２】
なお、前述したように書込コネクタ６において、電源端子（Ｖｄｄ）及びリセット端子（Ｒｅｓｅｔ）は電源８０に接続され、電位がＨｉｇｈレベルで安定ししており、上記した終端抵抗は設けられていない。また書込コネクタ６において、グランド端子（ＧＮＤ）及びプログラム書き込み制御端子（Ｖｐｐ）は接地されているため、電位がＬｏｗレベルで安定しており、上記した終端抵抗８６〜８８は設けられていない。
【００２３】
図５〜図７はコネクタカバー７の外観を示す。図６に示すように、コネクタカバー７は、１番ピンとしてのグランド端子（ＧＮＤ）に嵌合する第１ピン孔７１と、２番ピンとしての送信データ出力端子（ＴｘＤ）に嵌合する第２ピン孔７２と、３番ピンとしての受信データ入力端子（ＲｘＤ）に嵌合する第３ピン孔７３と、４番ピンとしてのリセット端子（Ｒｅｓｅｔ）に嵌合する第４ピン孔７４と、５番ピンとしての電源端子（Ｖｄｄ）に嵌合する第５ピン孔７５と、６番ピンとしてのプログラム書き込み制御端子（Ｖｐｐ）に嵌合する第６ピン孔７６と、７番ピンとしてのＨＳ端子（ＨＳ）に嵌合する第７ピン孔７７とを備えている。これらが１列にコネクタカバー７に並設されている。
【００２４】
図７に示すようにコネクタカバー７は、差込壁７０１を有する樹脂製のハウジング７００と、ハウジング７００のうち差込壁７０１と反対側においてハウジング７００に一体的に構成された樹脂製のカバー部７１０とを有する。差込壁７０１は下端７０１ｕを有する。カバー部７１０は、第１終端抵抗８６、第２終端抵抗８７、第３終端抵抗８８を収容する収容室７２０を有する。ハウジング７００は、書込コネクタ６に係脱可能な係止爪部７６０とを備えている。なおハウジング７００は、カバー部７１０よりも硬質の樹脂で形成できる。
【００２５】
ここで、コネクタカバー７の係止爪部７６０が書込コネクタ６に係止していれば、書込コネクタ６の開放状態の端子ピンはコネクタカバー７によりシールされている。故に、書込コネクタ６の開放状態の端子ピンの防湿性は確保される。図３から理解できるように、書込コネクタ６の開放状態の端子ピンは、１番ピンとしてのグランド端子（ＧＮＤ）、２番ピンとしての送信データ出力端子（ＴｘＤ）、３番ピンとしての受信データ入力端子（ＲｘＤ）、４番ピンとしてのリセット端子（Ｒｅｓｅｔ）、５番ピンとしての電源端子（Ｖｄｄ）、６番ピンとしてのプログラム書き込み制御端子（Ｖｐｐ）、７番ピンとしてのＨＳ端子（ＨＳ）である。
【００２６】
更に、コネクタカバー７の係止爪部７６０が書込コネクタ６に係止していれば、コネクタカバー７は書込コネクタ６から容易には離脱せず、上記したシール性は良好に維持される。プログラムを書き込むときには、コネクタカバー７の係止爪部７６０を操作させて書込コネクタ６から離脱させることにより、制御基板５の書込コネクタ６からコネクタカバー７を取り外す。この場合、書込コネクタ６の端子ピンは開放されて上向きとなる。
【００２７】
図９はマイコン制御部９のブロック図を示す。図９に示すように、マイコン制御部９は、入力処理回路９１０と、マイコン９２０と、マイコン９２０からの信号に基づいて出力信号を出力する出力処理回路９３０と、書込コネクタ６とを有する。マイコン９２０は、演算処理部９２１と、ＲＡＭ、ＲＯＭ等の記憶媒体９２２と、書込コネクタ６の送信データ出力端子（ＴｘＤ）に繋がるトランスミットバッフア９２５と、書込コネクタ６の受信データ入力端子（ＲｘＤ）に繋がるレシーブバッフア９２６とを有する。プログラムを記憶媒体９２２に書き込むときには、書込コネクタ６の送信データ出力端子（ＴｘＤ）、受信データ入力端子（ＲｘＤ）は書込ライタのコネクタ３００に脱着可能に接続される。
【００２８】
さて、人体局部洗浄装置Ａの使用時には、使用者がビデ洗浄用スイッチ１０、肛門洗浄用スイッチ１１等を操作する。ビデ洗浄用スイッチ１０からの操作信号、肛門洗浄用スイッチ１１からの操作信号が入力処理回路９１０を介してマイコン９２０に入力される。出力処理回路９３０は、モータ９５１、脱臭処理を行うために活性炭等の脱臭材に空気を供給するファンを作動させる脱臭用モータ９５３、人体の局部を乾燥させる温風を生成するヒータ９５４、当該温風を供給するファンを作動させる温風用モータ９５５を各種駆動回路９５１ａ〜９５５ａを経て制御する。しかして、モータ９５１が一方向（他方向）に所定量だけ回動されると、図示されない切換バルブを介して水がビデ洗浄用ノズル３１（肛門洗浄用ノズル３２）内に供給される。そして、この水は、ビデ洗浄用ノズル３１（肛門洗浄用ノズル３２）を先方に押し出した後に、使用者の陰部（肛門）に向けて噴射される。
【００２９】
ところで、使用者の好みに応じて、あるいは、使用地域の事情に応じて、洗浄水の水温、洗浄水の単位時間当たりの水量、乾燥ユニット４５の温風の温度、温風の単位時間当たりの流量、脱臭処理における脱臭の程度といった使用条件を変更したいときがある。この場合には、ケース本体１３をベース１２から取り外し、書込コネクタ６に被着しているコネクタカバー７を外部に露出させる。更に、書込コネクタ６からコネクタカバー７を取り外す。この場合、書込コネクタ６は上向きに露出するため、書込コネクタ６に設けられている送信データ出力端子（ＴｘＤ）、受信データ入力端子（ＲｘＤ）等のピンは上向きとなる。
【００３０】
そして、書込ライタのコネクタ３００を書込コネクタ６に有線式で接続する。このように接続した状態で、使用者の好みに応じて各種条件を設定したプログラムを書込ライタから書き込む処理を行う。ここで、マイコン制御部９からの受信可能信号は、レシーブバッフア９２６を介して書込コネクタ６の受信データ入力端子（ＲｘＤ）に入力される。そして、書込ライタから書込コネクタ６の送信データ出力端子（ＴｘＤ）にプログラムデータが出力され、さらに、プログラムデータはトランスミットバッファ９２５を介して、マイコン制御部９の再書き込み可能な記憶媒体９２２（例えば不揮発性ＲＡＭ等の不揮発メモリ）の所定のエリアに格納される。
【００３１】
上記のようしてプログラムの書き込みが終了したら、書込ライタのコネクタ３００を書込コネクタ６から外す。その後、書込コネクタ６にコネクタカバー７を上から被着し、書込コネクタ６の防湿性を高める。その後、ケース本体１３をベース１２に被着する。プログラムの書き込み以降は、プログラムに使用者の好みに応じて設定されている使用条件に基づいて人体局部洗浄装置Ａが作動する。
【００３２】
また本実施例によれば、前述したように、書込コネクタ６を設けているものの、書き込みをしない通常時には、第１終端抵抗８６、第２終端抵抗８７、第３終端抵抗８８を有するコネクタカバー７が書込コネクタ６に被着されている。このため、書込コネクタ６に繋がる配線にノイズが発生したとしても、ノイズは第１終端抵抗８６、第２終端抵抗８７、第３終端抵抗８８により消費されてグランド側に減衰され、ノイズに基づく影響を抑えることができる。
【００３３】
以上説明したように本実施例によれば、そのプログラムをマイコン制御部９の書込コネクタ６の送信データ出力端子（ＴｘＤ）及び受信データ入力端子（ＲｘＤ）を介して記憶媒体９２２の所定のエリアに書き込むことができる。従って書き込み以降は、使用者の好みに応じた新しい使用条件に基づいて人体局部洗浄装置Ａを使用することができる。
【００３４】
本実施例によれば、書込コネクタ６を搭載している制御基板５にはウレタン等の樹脂系の防湿材５７が被覆されており、上記した電子部品は防湿材５７で被覆されて防湿されている。そして、図８に示すように、制御基板５に半田付けで固定されている書込コネクタ６の周囲には、樹脂系の防湿材５７が被覆されている。ここで、図８に示すように、防湿材５７の上面５７ｕは、制御基板５の書込コネクタ６の上端６ｕよりも下方に位置しており、防湿材５７は、書込コネクタ６の全体を被覆しておらず、コネクタカバー７を被覆していない。即ち、コネクタカバー７の係止爪部７６０についても、防湿材５７は被覆していない。従って、書込コネクタ６からコネクタカバー７を脱着可能とされている。よって、プログラムを書き込むときには、書込コネクタ６からコネクタカバー７を容易に取り外すことができる。そして、書き込みが終了すれば、書込コネクタ６にコネクタカバー７を被着しておけば、書込コネクタ６の防湿性を確保することができる。
【実施例２】
【００３５】
図１０は実施例２を示す。本実施例は基本的には実施例１と同様の構成、作用効果を有する。実施例２は図２〜図９を準用することができる。以下、実施例１と相違する部分を中心として説明する。本実施例によれば、ケース１のケース本体１３は、閉鎖時において気密的にシールされている開閉扉１３Ｍを有する。プログラムを書き込むときには、ケース本体１３を取り外すことなく、開閉扉１３Ｍを開放させる。この状態では、ケース本体１３内の書込コネクタ６にコネクタカバー７が被着されている。このため実施例１と同様に、ケース本体１３内の書込コネクタ６からコネクタカバー７が取り外す。そして、露出した書込コネクタ６に書込ライタのコネクタ３００を結合する。更に、書込コネクタ６に設けられている送信データ出力端子（ＴｘＤ）、受信データ入力端子（ＲｘＤ）に基づいてプログラムを記憶媒体９２２に再書き込みする。書き込みが終了すれば、ケース本体１３内の書込コネクタ６にコネクタカバー７を被着すると共に、開閉扉１３Ｍを閉鎖し、ケース本体１３内のシール性を確保する。本実施例によれば、プログラムを書き込むとき、開閉扉１３Ｍを開放すれば、ケース本体１３の全体を取り外さずとも良い。
【００３６】
（その他）
本発明は上記し且つ図面に示した実施例のみに限定されるものではなく、例えば、ビデ用洗浄ノズル及び肛門用洗浄ノズルの双方が用いられているが、いずれか一方でも良い等、要旨を逸脱しない範囲内で適宜変更して実施できるものである。
【図面の簡単な説明】
【００３７】
【図１】人体局部洗浄装置を装備した便器の斜視図である。
【図２】人体局部洗浄装置の内部を示す斜視図である。
【図３】書込コネクタの配線部である。
【図４】コネクタカバーの配線図である。
【図５】コネクタカバーの正面図である。
【図６】コネクタカバーの底面図である。
【図７】コネクタカバーの断面図であり、図５のＶＩＩ−ＶＩＩ線に沿った矢視図である。
【図８】防湿材で回りを覆われた書込コネクタにコネクタカバーが被着されている状態を示す構成図である。
【図９】制御系のブロック図である。
【図１０】実施例２に係り、人体局部洗浄装置を装備した便器の斜視図である。
【符号の説明】
【００３８】
１はケース（基部）、２０は便座、２１は便蓋、３は洗浄部、３１はビデ洗浄用ノズル、３２は肛門洗浄用ノズル、４０は脱臭ユニット、４５は乾燥ユニット、５は制御基板、５７は防湿材、６は書込コネクタ、７はコネクタカバー、８６は第１終端抵抗、８７は第２終端抵抗、８８は第３終端抵抗、９はマイコン制御部を示す。
【図１】
2006090072.tif 000003
【図２】
2006090072.tif 000004
【図３】
2006090072.tif 000005
【図４】
2006090072.tif 000006
【図５】
2006090072.tif 000007
【図６】
2006090072.tif 000008
【図７】
2006090072.tif 000009
【図８】
2006090072.tif 000010
【図９】
2006090072.tif 000011
【図１０】
2006090072.tif 000012